(57)【要約】【課題】  必要最小限の部材で構成され、用途に応じた適切な大きさに変更可能な揺動式器具を提供する。【解決手段】  ベッドの形態と、ブランコの形態とに切替可能な揺動式器具１１であって、複数の箇所で屈曲可能な寝床部材１２と、寝床部材１２の一方側端部および他方側端部に位置し、寝床部材１２を揺動可能に支持する第１支持枠１３および第２支持枠１４と、第１支持枠１３と第２支持枠１４との間隔を調節可能に連結する連結部材１５，１６とを備える。【選択図】      図２
2006311950.tif 000002
【特許請求の範囲】
【請求項１】
ベッドの形態と、ブランコの形態とに切替可能な揺動式器具であって、
複数の箇所で屈曲可能な寝床部材と、
前記寝床部材の一方側端部および他方側端部に位置し、前記寝床部材を揺動可能に支持する第１支持枠および第２支持枠と、
前記第１支持枠と前記第２支持枠との間隔を調節可能に連結する連結部材とを備え、
前記ベッドの形態においては、前記第１支持枠と前記第２支持枠とが相対的に離れて位置し、前記寝床部材が水平状態に保たれ、
前記ブランコの形態においては、前記第１支持枠と前記第２支持枠とが相対的に近くに位置し、前記寝床部材が屈曲して対面式座部の形態に保たれる、揺動式器具。
【請求項２】
前記ベッドの形態において、寝床部材を水平に保つ水平状態固定手段と、
前記ブランコの形態において、前記寝床部材を対面式座部の形態に保つ屈曲状態固定手段とを有する、請求項１に記載の揺動式器具。
【請求項３】
前記揺動式器具は、前記ベッドの形態および前記ブランコの形態に加えて、折り畳み状態を選択可能であって、
前記折り畳み状態においては、前記第１支持枠と前記第２支持枠とが前記ブランコの形態よりも、さらに近くに位置する、請求項１または２に記載の揺動式器具。
【請求項４】
前記連結部材は、複数の部材を屈曲可能に連結する、請求項１〜３のいずれかに記載の揺動式器具。
【発明の詳細な説明】
【技術分野】
【０００１】
この発明は、揺動式器具、特に揺動式ベッドの形態とブランコの形態とに切替可能な揺動式器具に関するものである。
【背景技術】
【０００２】
従来、生後間もない乳児は、例えば、図１に示すようなベビーベッドに寝かされる。図１に示すベビーベッド１は、矩形の寝床部材２と、寝床部材２の頭側端部に位置する頭部側支持枠３および足側端部に位置する足側支持枠４とを備える。また、乳児を安眠させるために、寝床部材２は、頭側支持枠３および足部側支持枠４から吊り下げ部材５により揺動可能に支持されている。
【０００３】
上記構成のようなベビーベッド１は、生後の一定期間は使用されるが、子供がある程度成長すると使用されなくなる。そこで、子供が成長した後も他の用途として継続して使用可能なベビーベッドが実開平２−２８６５３号公報（特許文献１）に記載されている。
【０００４】
同公報によると、ベビーベッドとして使用する際には、支持枠に揺動可能な寝台を配置し、ブランコとして使用する際には、寝台を取り外して、ブランコ用座部を取り付けることにより汎用的に使用することができると記載されている。
【特許文献１】実開平２−２８６５３号公報
【発明の開示】
【発明が解決しようとする課題】
【０００５】
上記公報に記載されているようなベビーベッドは、ベッドとして使用する際にはブランコ用座部が、また、ブランコとして使用する際には寝台が不要となるので、未使用部材の収納スペースが必要となる。
【０００６】
また、通常、ブランコとして使用する場合は、ベッドとして使用する場合と比較して長手方向幅は小さくてよいが、上記公報に記載されているベビーベッドは長さを調節することができないので、広い載置場所を確保する必要がある。
【０００７】
そこで、この発明は、必要最小限の部材で構成され、用途に応じて適切な大きさに変更可能な揺動式器具を提供することを目的とする。
【課題を解決するための手段】
【０００８】
この発明に係る揺動式器具は、ベッドの形態と、ブランコの形態とに切替可能な揺動式器具である。具体的には、複数の箇所で屈曲可能な寝床部材と、寝床部材の一方側端部および他方側端部に位置し、寝床部材を揺動可能に支持する第１支持枠および第２支持枠と、第１支持枠と第２支持枠との間隔を調節可能に連結する連結部材とを備える。そして、ベッドの形態においては、第１支持枠と第２支持枠とが相対的に離れて位置し、寝床部材が水平状態に保たれる。一方、ブランコの形態においては、第１支持枠と第２支持枠とが相対的に近くに位置し、寝床部材が屈曲して対面式座部の形態に保たれる。
【０００９】
上記構成のように、ベッドとして使用する際には寝台として、また、ブランコとして使用する場合には対面式座部として使用可能な寝床部材とすることにより、未使用部材の収納スペースを確保する必要がない。また、第１支持枠と第２支持枠との間隔を調節可能とすることにより、用途に応じて適切な大きさに調節することができる。
【００１０】
好ましくは、ベッドの形態において、寝床部材を水平に保つ水平状態固定手段と、ブランコの形態において、寝床部材を対面式座部の形態に保つ屈曲状態固定手段とを有する。これにより、寝床部材を寝台または対面式座部の形状に確実に固定できるので、子供用の揺動式器具として安全に使用することができる。
【００１１】
好ましくは、揺動式器具は、ベッドの形態およびブランコの形態に加えて、折り畳み状態を選択可能である。折り畳み状態においては、第１支持枠と第２支持枠とがブランコの形態よりもさらに近くに位置する。これにより、未使用時には折り畳んで収納可能となるので、省スペース化を図ることができる。
【００１２】
連結部材は、例えば、複数の部材を屈曲可能に連結するとよい。これにより、工具等を使用することなく、複数の部材を屈曲させるだけで第１支持枠と第２支持枠との間隔を調節可能となるので、ベッド、ブランコ、および折り畳み状態それぞれへの切替が容易となる。
【発明の効果】
【００１３】
この発明は、子供の成長に合わせて用途を変更し、継続して使用可能な揺動式器具であって、安全でスペースをとらない揺動式器具を得ることができる。
【発明を実施するための最良の形態】
【００１４】
図２〜図５を参照して、この発明の一実施形態に係る揺動式器具１１を説明する。
【００１５】
図２に示す揺動式器具１１は、複数の箇所で屈曲可能な寝床部材１２と、寝床部材１２の一方側端部および他方側端部に位置し、寝床部材１２を揺動可能に支持する第１支持枠１３および第２支持枠１４と、第１支持枠１３と第２支持枠１４との間隔を調節可能に連結する連結部材１５，１６とを備える。
【００１６】
図２に示す揺動式器具１１は、第１支持枠１３と第２支持枠１４とが相対的に離れて位置し、寝床部材１２が水平状態に保たれたベッドの状態であって、寝床部材１２の両端を紐や布などの吊り下げ部材１８により揺動可能に吊り下げられた揺動式ベッドとして機能する。
【００１７】
第１支持枠１３および第２支持枠１４の上部を連結する連結部材１５は、複数の棒状部材１５ａ，１５ｂの一方端をピン１７ａにより屈曲可能に連結し、その他方端をピン１７ｂにより第１支持枠１３および第２支持枠１４に対して回動可能に連結する。また、棒状部材１５ａ，１５ｂは、その連結部分に長穴１５ｃを設けて、連結部材１５の長さを調節可能とする。
【００１８】
なお、第１支持枠１３および第２支持枠１４の下部を連結する連結部材１６についても同様である。また、連結部材の屈曲形態および長さ調節方法は、上記の他種々の形態が考えられる。
【００１９】
また、揺動式器具１１は、図３に示すように連結部材１５および連結部材１６の長さを調節することにとって、第１支持枠１３と第２支持枠１４とが相対的に近くに位置し、寝床部材１２が屈曲して対面式座部の形態に保たれたブランコとして機能する。
【００２０】
上記構成のように、揺動式器具１１は、揺動式ベッドおよびブランコとして使用可能であるので、子供の成長に合わせて用途を変えることにより継続して使用することができる。また、寝床部材１２は、ベッドとして使用する際には寝台として、一方、ブランコとして使用する場合には対面式座部として使用可能であるので、未使用部材の収納スペースを確保する必要がない。さらに、第１支持枠１３と第２支持枠１４との間隔を調節可能とすることにより、用途に応じて適切な大きさに調節することができる。
【００２１】
また、揺動式器具１１は、図２に示すようなベッドの形態、および、図３に示すようなブランコの形態に加えて、折り畳み状態を選択可能である。折り畳み状態は、図４に示すように、第１支持枠１３と第２支持枠１４とがブランコの形態よりもさらに近くに位置し、連結部材１６は、棒状部材１６ａ，１６ｂとが中央部で屈曲して第１支持枠１３および第２支持枠１４の側面に配置される。
【００２２】
上記構成とすることにより、揺動式器具１１は、未使用時には折り畳んで収納可能となるので、省スペース化を図ることができる。
【００２３】
なお、図４においては、連結部材１６が屈曲した状態のみを示したが、連結部材１５についても同様である。また、連結部材の折畳み状態における屈曲形態は、他に種々の形態が考えられる。
【００２４】
次に、図５を参照して、ベッド、ブランコ、および折畳んだ状態のそれぞれにおける寝床部材１２の形態の変化について説明する。
【００２５】
図５（ａ）は、寝床部材１２の平面図である。寝床部材１２は、６枚の板状部材１２ａ〜１２ｆを有し、その長手方向の側面の４箇所には、寝床部材１２の形状を固定する形状固定手段１９を有する。形状固定手段１９は、その中央部をピン２０により寝床部材１２に対して回動可能に取り付けられ、両端部をピン２１により固定される。また、図示はしないが、寝床部材１２の側面には、ピン２１を受け入れる穴が複数設けられており、寝床部材の形態によって、形状固定手段１９の固定位置が変更可能である。
【００２６】
図５（ｂ）は、ベッドの形態における寝床部材１２の形態を示す図である。これによると、寝床部材１２は、水平状態固定手段として機能する形状固定手段１９により水平状態に保たれて寝台として機能する。
【００２７】
図５（ｃ）は、ブランコの形態における寝床部材１２の形態を示す図である。これによると、寝床部材１２は、屈曲状態固定手段として機能する形状固定手段１９により屈曲した状態に保たれ、対面式座部として機能する。ここで、板状部材１２ａ，１２ｆは座部として機能し、板状部材１２ｃ，１２ｄは足置きとして機能する。
【００２８】
図５（ｄ）は、折畳み状態における寝床部材１２の形態を示す図である。これによると、左右の板状部材が形状固定手段１９によりそれぞれ水平状態に保たれ、板状部材１２ｃと板状部材１２ｄとの間で屈曲して、図４に示した第１支持枠１３および第２支持枠１４の幅に収まる形状となる。
【００２９】
このように、寝床部材１２は、ベッドとして使用する際には寝台として、また、ブランコとして使用する場合には対面式座部として使用可能であり、折畳み状態では第１支持枠および第２支持枠の幅に収まる形状に変形可能である。さらに、形状固定手段１９により、寝床部材１２の形状が確実に固定されるので、子供用の揺動式器具として安全に使用することができる。
【００３０】
なお、図５では、寝床部材１２を複数の板状部材からなる例を示したが、これに限ることなく、例えば、複数のパイプ材を屈曲可能に組み合わせた構成としてもよい。また、図５（ｂ）〜（ｄ）に示した各用途における形態としては、他に種々の形態が考えられる。
【００３１】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３２】
この発明は、子供の成長に合わせて用途を変えることにより、継続して使用可能な揺動式器具に有利に利用される。
【図面の簡単な説明】
【００３３】
【図１】従来の揺動式ベッドの形態を示す図である。
【図２】本発明の一実施形態に係る揺動式器具であって、ベッドの形態を示す側面図である。
【図３】本発明の一実施形態に係る揺動式器具であって、ブランコの形態を示す側面図である。
【図４】本発明の一実施形態に係る揺動式器具であって、折畳み状態を示す側面図である。
【図５】本発明の一実施形態に係る揺動式器具に使用される寝床部材であって、各用途における形態の変化を示す図である。
【符号の説明】
【００３４】
１  揺動式ベッド、２，１２  寝床部材、１２ａ,１２ｂ，１２ｃ，１２ｄ，１２ｅ，１２ｆ  板状部材、３  頭部側支持枠、４  足部側支持枠、５，１８  吊り下げ部材、１１  揺動式器具、１３  第１支持枠、１４  第２支持枠、１５，１６  連結部材、１５ａ，１５ｂ，１６ａ，１６ｂ  棒状部材、１５ｃ、１６ｃ  長穴、１７ａ，１７ｂ，２０，２１  ピン、１９  形状固定手段。
【図１】
2006311950.tif 000003
【図２】
2006311950.tif 000004
【図３】
2006311950.tif 000005
【図４】
2006311950.tif 000006
【図５】
2006311950.tif 000007